(57)【特許請求の範囲】
【請求項１】
可動接点端子と、
長手方向に延びており互いに分割された第１分割片と第２分割片とを有し、前記可動接点端子に取り付けられる接触片と、
前記第１分割片に取り付けられる第１可動接点と、
前記第２分割片に取り付けられる第２可動接点と、
前記接触片と対向して配置される固定接点端子と、
前記固定接点端子に取り付けられ、前記第１可動接点と対向して配置される第１固定接点と、
前記固定接点端子に取り付けられ、前記第２可動接点と対向して配置される第２固定接点と、
前記接触片を押圧可能に設けられるリンク部材と、
を備え、
前記リンク部材は、
前記第１分割片を押圧するように設けられ、前記接触片の幅方向に延びる第１押圧部と、
前記第２分割片を押圧するように設けられ、前記長手方向に延びる第２押圧部と、
を有する、
リレー。
【請求項２】
前記リンク部材は、
前記第１分割片を押圧するように設けられ、前記接触片の幅方向に延びる第３押圧部と、
前記第２分割片を押圧するように設けられ、前記長手方向に延びる第４押圧部と、
を有し、
前記第１押圧部は、前記固定接点端子から離れる方向に前記第１分割片を押圧し、
前記第２押圧部は、前記固定接点端子から離れる方向に前記第２分割片を押圧し、
前記第３押圧部は、前記固定接点端子に向けて前記第１分割片を押圧し、
前記第４押圧部は、前記固定接点端子に向けて前記第２分割片を押圧する、
請求項１に記載のリレー。
【請求項３】
前記第１押圧部の前記幅方向における長さと、前記第３押圧部の前記幅方向における長さとは、互いに異なる、
請求項２に記載のリレー。
【請求項４】
前記第１押圧部は、前記幅方向において前記第３押圧部よりも短い、
請求項３に記載のリレー。
【請求項５】
前記第１分割片は、前記第１押圧部に押圧される第１接触部を有し、
前記第１接触部は、前記幅方向において前記第１可動接点から離れた位置に配置される、
請求項２から４のいずれかに記載のリレー。
【請求項６】
前記第１分割片は、前記第３押圧部に押圧される第３接触部を有し、
前記第３接触部の少なくとも一部は、前記幅方向において前記第１接触部よりも前記第１可動接点の近くに位置する、
請求項５に記載のリレー。
【請求項７】
前記第２押圧部の前記長手方向における長さと、前記第４押圧部の前記長手方向における長さとは、互いに異なる、
請求項２から６のいずれかに記載のリレー。
【請求項８】
前記第２分割片は、前記第２押圧部に押圧される第２接触部を有し、
前記第１接触部は、前記第２接触部よりも前記接触片の先端側に位置する、
請求項２から７のいずれかに記載のリレー。
【請求項９】
前記第２分割片は、前記第４押圧部に押圧される第４接触部を有し、
前記第３接触部は、前記第４接触部よりも前記接触片の先端側に位置する、
請求項６に記載のリレー。
【請求項１０】
前記リンク部材は、
前記接触片から前記固定接点端子に向かう方向に前記第３押圧部から延びる連結部と、
前記連結部から前記幅方向に突出する第１突起部と、
をさらに有し、
前記第１押圧部は、前記第１突起部に設けられる、
請求項２から９のいずれかに記載のリレー。
【請求項１１】
前記リンク部材は、前記連結部と前記第１突起部と前記第３押圧部とによって形成される第１凹部を有し、
前記第１分割片の一部は、前記第１凹部内に配置される、
請求項１０に記載のリレー。
【請求項１２】
前記リンク部材は、前記連結部から前記長手方向に突出する第２突起部をさらに有し、
前記第２押圧部は、前記第２突起部に設けられる、
請求項９から１１のいずれかに記載のリレー。
【請求項１３】
前記リンク部材は、前記連結部から前記長手方向に突出する第３突起部をさらに有し、
前記第４押圧部は、前記第３突起部に設けられる、
請求項１２に記載のリレー。
【請求項１４】
前記リンク部材は、前記連結部と前記第２突起部と前記第３突起部とによって形成される第２凹部を有し、
前記第２分割片の一部は、前記第２凹部内に配置される、
請求項１３に記載のリレー。
【請求項１５】
前記第１分割片の先端は、前記第２分割片の先端よりも前記先端側に位置しており、
前記リンク部材の少なくとも一部は、前記長手方向において前記第１分割片の先端と前記第２分割片の先端との間に位置する、
請求項１から１４のいずれかに記載のリレー。
【請求項１６】
前記リンク部材は、前記接触片の幅の範囲内に配置される、
請求項１から１５のいずれかに記載のリレー。
【請求項１７】
前記第２分割片の幅は、前記第１分割片の幅よりも小さく、
前記第２分割片は、前記第２分割片の幅方向における縁部に設けられ前記長手方向に延びるリブ部を有する、
請求項１から１６のいずれかに記載のリレー。
【発明の詳細な説明】
【技術分野】
【０００１】
本発明は、リレーに関する。
【背景技術】
【０００２】
リレーには、複数の可動接点と複数の固定接点とを備えるものがある。例えば特許文献１のリレーでは、接触片は第１分割片と第２分割片とを有している。第１分割片には開閉用可動接点が取り付けられ、第２分割片には通電用可動接点が取り付けられている。また、固定接点端子には、開閉用固定接点と通電用固定接点とが取り付けられている。
上記のリレーでは、カードが接触片を押圧することで、接点の開閉が行われる。カードには、接触片の幅方向に延びるスリットが設けられており、第１分割片の先端と第２分割片の先端とがスリット内に配置されている。
【０００３】
カードが固定接点端子に向かう方向に移動することで、第１分割片の先端と第２分割片の先端とが、カードのスリットの一方の縁部によって固定接点端子に向かう方向に押圧される。これにより、可動接点が固定接点に向かって移動して、固定接点と接触する。また、カードが固定接点端子から離れる方向に移動することで、第１分割片の先端と第２分割片の先端とが、カードのスリットの他方の縁部によって固定接点端子から離れる方向に押圧される。これにより、可動接点が固定接点から離れる。
【先行技術文献】
【特許文献】
【０００４】
【特許文献１】特許第５７４１６７９号公報
【発明の概要】
【発明が解決しようとする課題】
【０００５】
複数の可動接点と複数の固定接点とを備えるリレーでは、接点の接触力、或いは、接点の乖離力などの接点パラメータは、接点ごとに適切な大きさが異なる。例えば、特許文献１のリレーでは、通電用可動接点が通電用固定接点に接触する前に、開閉用可動接点が開閉用固定接点と接触する。従って、電気的な負荷の開閉は、開閉用可動接点と開閉用固定接点とによって担われ、通電用可動接点と通電用固定接点とは通電のみを行う。そのため、開閉用可動接点と開閉用固定接点との間でアークが発生するとしても、通電用可動接点と通電用固定接点との間ではアークが発生しない。
【０００６】
接点間でアークが発生すると接点が溶着することがある。従って、溶着が生じた場合に開閉用可動接点を通電用固定接点から引き剥がすために、開閉用可動接点に作用させる乖離力は大きいこと好ましい。しかし、上記のリレーでは、接点ごとに適切な接点パラメータを設定することは容易ではない。
本発明の課題は、複数の可動接点に対して、接点ごとに接点パラメータを容易に設定することができるリレーを提供することにある。
【課題を解決するための手段】
【０００７】
本発明の一態様に係るリレーは、可動接点端子と、接触片と、第１可動接点と、第２可動接点と、固定接点端子と、第１固定接点と、第２固定接点と、リンク部材と、を有する。接触片は、可動接点端子に取り付けられる。接触片は、第１分割片と第２分割片とを有する。第１分割片と第２分割片とは、長手方向に延びており互いに分割されている。第１可動接点は、第１分割片に取り付けられる。第２可動接点は、第２分割片に取り付けられる。固定接点端子は、接触片と対向して配置される。第１固定接点は、固定接点端子に取り付けられ、第１可動接点と対向して配置される。第２固定接点は、固定接点端子に取り付けられ、第２可動接点と対向して配置される。リンク部材は、接触片を押圧可能に設けられる。
【０００８】
リンク部材は、第１押圧部と第２押圧部とを有する。第１押圧部は、第１分割片を押圧するように設けられ、接触片の幅方向に延びる。第２押圧部は、第２分割片を押圧するように設けられ、長手方向に延びる。
本態様に係るリレーでは、第１押圧部と第２押圧部とが互いに異なる方向に延びている。そのため、第１押圧部と第２押圧部との寸法及び位置をそれぞれ任意に設定することで、第１分割片において第１押圧部が押圧する部分と、第２分割片において第２押圧部が押圧する部分との位置、或るいは大きさを容易に調整することができる。これにより、第１可動接点と第２可動接点のそれぞれに対して接点パラメータを容易に設定することができる。
【０００９】
リンク部材は、第３押圧部と第４押圧部とを有してもよい。第３押圧部は、第１分割片を押圧するように設けられ、接触片の幅方向に延びてもよい。第４押圧部は、第２分割片を押圧するように設けられ、長手方向に延びてもよい。第１押圧部は、固定接点端子から離れる方向に第１分割片を押圧してもよい。第２押圧部は、固定接点端子から離れる方向に第２分割片を押圧してもよい。第３押圧部は、固定接点端子に向けて第１分割片を押圧してもよい。第４押圧部は、固定接点端子に向けて第２分割片を押圧してもよい。
【００１０】
この場合、第１押圧部の寸法及び位置を調整することで、第１可動接点の乖離力を容易に設定することができる。第２押圧部の寸法及び位置を調整することで、第２可動接点の乖離力を容易に設定することができる。第３押圧部の寸法及び位置を調整することで、第１可動接点の接触力を容易に設定することができる。第４押圧部の寸法及び位置を調整することで、第１可動接点の接触力を容易に設定することができる。
【００１１】
接触片の幅方向における第１押圧部の長さと、接触片の幅方向における第３押圧部の長さとは、互いに異なってもよい。この場合、第１押圧部によって第１分割片を押圧する位置と、第３押圧部によって第１分割片を押圧する位置とを異ならせることができる。
第１押圧部は、接触片の幅方向において第３押圧部よりも短い。この場合、第１押圧部によって第１分割片を押圧する位置と、第３押圧部によって第１分割片を押圧する位置とを異ならせることができる。
【００１２】
第１分割片は、第１押圧部に押圧される第１接触部を有してもよい。第１接触部は、幅方向において第１可動接点から離れた位置に配置されてもよい。この場合、第１分割片において第１押圧部が押圧する部分と第１可動接点との間の距離を大きくすることができる。これにより、第１可動接点の乖離力を増大させることができる。
第１分割片は、第３押圧部に押圧される第３接触部を有してもよい。第３接触部の少なくとも一部は、幅方向において第１接触部よりも第１可動接点の近くに位置してもよい。この場合、第１可動接点と第１固定接点との接触時に、第３接触部によって第１可動接点に近い位置を押圧することができる。これにより、第１可動接点と第１固定接点との接触安定性を向上させることができる。
【００１３】
接触片の長手方向における第２押圧部の長さと、接触片の長手方向における第４押圧部の長さとは、互いに異なってもよい。この場合、第２押圧部によって第２分割片を押圧する位置と、第４押圧部によって第２分割片を押圧する位置とを異ならせることができる。
第２分割片は、第２押圧部に押圧される第２接触部を有してもよい。第１接触部は、第２接触部よりも接触片の先端側に位置してもよい。この場合、第１押圧部によって第１接触部を押圧することで、第１可動接点を大きく変位させることができる。これにより、第１可動接点の乖離力を増大させることができる。
【００１４】
第２分割片は、第４押圧部に押圧される第４接触部を有してもよい。第３接触部は、第４接触部よりも接触片の先端側に位置してもよい。この場合、第３押圧部によって第３接触部を押圧することで、第１可動接点を大きく変位させることができる。これにより、第１可動接点の接触力を増大させることができる。
リンク部材は、連結部と第１突起部とを有してもよい。連結部は、接触片から固定接点端子に向かう方向に第３押圧部から延びてもよい。第１突起部は、連結部から幅方向に突出していてもよい。第１接触部は、第１突起部に設けられてもよい。この場合、第１突起部の突出長さを調整することで、第１接触部の寸法を容易に設定することができる。
【００１５】
リンク部材は、連結部と第１突起部と第３押圧部とによって形成される第１凹部を有してもよい。第１分割片の一部は、第１凹部内に配置されてもよい。この場合、リンク部材に第１分割片を通すための孔を設ける場合と比べて、リンク部材をリレーに容易に取り付けることができる。
リンク部材は、第２突起部をさらに有してもよい。第２突起部は、連結部から長手方向に突出していてもよい。第２接触部は、第２突起部に設けられてもよい。この場合、第２突起部の突出長さを調整することで、第２接触部の寸法を容易に設定することができる。
【００１６】
リンク部材は、第３突起部をさらに有してもよい。第３突起部は、連結部から長手方向に突出していてもよい。第４接触部は、第３突起部に設けられてもよい。この場合、第３突起部の突出長さを調整することで、第４接触部の寸法を容易に設定することができる。
リンク部材は、連結部と第２突起部と第３突起部とによって形成される第２凹部を有してもよい。第２分割片の一部は、第２凹部内に配置されてもよい。この場合、リンク部材に第２分割片を通すための孔を設ける場合と比べて、リンク部材をリレーに容易に取り付けることができる。
【００１７】
第１分割片の先端は、第２分割片の先端よりも先端側に位置してもよい。リンク部材の少なくとも一部は、長手方向において第１分割片の先端と第２分割片の先端との間に位置してもよい。この場合、リンク部材によって第１分割片の先端と第２分割片の先端とを押圧することができる。また、リレーを小型化することができる。
リンク部材は、接触片の幅の範囲内に配置されてもよい。この場合、リレーを小型化することができる。
【００１８】
第２分割片の幅は、第１分割片の幅よりも小さくてもよい。第２分割片は、第２分割片の幅方向における縁部に設けられ長手方向に延びるリブ部を有してもよい。この場合、リブ部によって第２分割片の剛性を向上させることができる。
【発明の効果】
【００１９】
本発明によれば、複数の可動接点に対して、接点ごとに接点パラメータを容易に設定することができる。
【図面の簡単な説明】
【００２０】
【図１】実施形態に係るリレーの斜視図である。
【図２】リセット状態のリレーの平面図である。
【図３】セット状態のリレーの平面図である。
【図４】実施形態に係る接触片ユニットの平面図である。
【図５】接触片ユニットの斜視図である。
【図６】接触片ユニットの斜視図である。
【図７】接触片ユニットの分解斜視図である。
【図８】接触片ユニットの側面図である。
【図９】接触片ユニットの側面図である。
【図１０】接触片及びリンク部材の斜視図である。
【図１１】接触片及びリンク部材の側面図である。
【図１２】リンク部材の斜視図である。
【図１３】接触片の基端側から見たリンク部材を示す図である。
【図１４】リセット状態における接触片及びリンク部材を示す図である。
【図１５】リセット状態における接触片及びリンク部材を示す図である。
【図１６】セット状態における接触片及びリンク部材を示す図である。
【図１７】セット状態における接触片及びリンク部材を示す図である。
【図１８】乖離力の調整方法を示す図である。
【図１９】接触力の調整方法を示す図である。
【図２０】第１変形例に係るリンク部材を示す図である。
【図２１】第２変形例に係るリンク部材を示す図である。
【発明を実施するための形態】
【００２１】
以下、図面を参照して実施形態に係るリレーについて説明する。図１は、実施形態に係るリレー１の斜視図である。図２は、リセット状態のリレー１の平面図である。図３は、セット状態のリレー１の平面図である。リレー１は、ベース２と、駆動ユニット３と、可動ユニット４と、支持部材５と、リンク部材６と、接触片ユニット７と、固定接点ユニット８とを備える。なお、図２及び図３では、支持部材５が省略されている。
【００２２】
ベース２は、駆動ユニット３と、可動ユニット４と、リンク部材６と、接触片ユニット７と、固定接点ユニット８と、を収容している。ベース２には、図示しないカバー部材が取り付けられる。
駆動ユニット３は、可動ユニット４を駆動する。駆動ユニット３は、可動ユニット４を回転させる電磁力を生成する。図２に示すように、駆動ユニット３は、コイル１１と、スプール１２と、第１ヨーク１３と、第２ヨーク１４とを有する。コイル１１は、スプール１２に巻回されている。コイル１１には、コイル１１に通電するためのコイル端子１５が取り付けられている。スプール１２には図示しない鉄芯が挿入されている。第１ヨーク１３は鉄芯の一端に連結されており、第２ヨーク１４は鉄芯の他端に連結されている。
【００２３】
可動ユニット４は、ベース２に対して回転可能に支持されている。可動ユニット４は、第１ヨーク１３と第２ヨーク１４との間に配置されている。可動ユニット４は、第１接極子１６と、第２接極子１７と、永久磁石１８と、可動体１９とを有する。第１接極子１６と第２接極子１７と永久磁石１８とは、可動体１９に取り付けられている。可動体１９は、回転軸１９１を中心に回転可能にベース２に支持されている。可動体１９は、アーム部１９２を有している。アーム部１９２は、リンク部材６に向かって延びている。
【００２４】
第１接極子１６は、第１端部１６１と第２端部１６２とを有する。第２接極子１７は、第３端部１７１と第４端部１７２とを有する。第１端部１６１と第３端部１７１とは、可動体１９から同方向に突出している。第２端部１６２と第４端部１７２とは、第１端部１６１と第３端部１７１とは反対の方向に、可動体１９から突出している。
リンク部材６は、可動体１９と接触片ユニット７とを連結している。リンク部材６は、平面視において、後述する接触片ユニット７の可動接点端子２１と交差するように配置されている。リンク部材６の一端は、可動体１９に連結される。リンク部材６の他端は、接触片ユニット７に連結される。詳細には、リンク部材６は連結孔６０１を有しており、可動体１９のアーム部１９２の先端が連結孔６０１内に配置されている。これにより、リンク部材６が可動体１９によって駆動されるときに、アーム部１９２がリンク部材６に係止する。リンク部材６については、後に詳細に説明する。
【００２５】
接触片ユニット７は、可動接点端子２１と、接触片２２と、可動接点２３，２４とを有する。接触片２２は、可動接点端子２１に接続されている。接触片２２は、可動接点端子２１と対向して配置されている。上述したリンク部材６は、接触片２２を押圧可能に設けられている。可動接点２３，２４は接触片２２に取り付けられている。
固定接点ユニット８は、固定接点端子２５と固定接点２６，２７とを有する。固定接点端子２５は、接触片２２と対向して配置される。固定接点２６，２７は、固定接点端子２５に取り付けられている。固定接点２６，２７は、可動接点２３，２４と対向して配置される。
【００２６】
次に、リレー１の動作について説明する。図２に示すリセット状態では、第１接極子１６の第１端部１６１が第１ヨーク１３と接触し、第２端部１６２が第２ヨーク１４から離れている。第２接極子１７の第４端部１７２が第２ヨーク１４と接触し、第３端部１７１が第１ヨーク１３から離れている。また、可動接点２３，２４は、固定接点２６，２７から離れている。
【００２７】
コイル１１に所定方向に通電すると、可動ユニット４を所定の順方向（図２における時計回り）に回転させる電磁力が発生する。これにより、可動ユニット４が順方向に回転する。可動ユニット４が順方向に回転すると、リンク部材６が図２における左方向に移動する。これにより、接触片２２の先端が図２における左方向に移動し、それと共に、可動接点２３，２４が、固定接点２６，２７に近づく方向に移動する。その結果、可動接点２３，２４が、固定接点２６，２７に接触する。これにより、リレー１は、図２に示すリセット状態から図３に示すセット状態に切り換えられる。
【００２８】
図３に示すように、セット状態では、第１接極子１６の第１端部１６１が第１ヨーク１３から離れ、第２端部１６２が第２ヨーク１４に接触する。また、第２接極子１７の第４端部１７２が第２ヨーク１４から離れ、第３端部１７１が第１ヨーク１３に接触する。なお、この状態でコイル１１への通電が停止されても、永久磁石１８の磁力により、セット状態が維持される。
【００２９】
次に、コイル１１に上記の所定方向と逆の方向に通電すると、可動ユニット４を上記の順方向と逆方向（図３における反時計回り）に回転させる電磁力が発生する。これにより、可動ユニット４が逆方向に回転する。可動ユニット４が逆方向に回転すると、リンク部材６が図３における右方向に移動する。これにより、接触片ユニット７の先端が図３における右方向に移動し、それと共に、可動接点２３，２４が固定接点２６，２７から離れる方向に移動する。その結果、可動接点２３，２４が固定接点２６，２７から離れる。これにより、リレー１は、図３に示すセット状態から図２に示すリセット状態に戻る。なお、この状態でコイル１１への通電が停止されても、永久磁石１８の磁力により、リセット状態が維持される。
【００３０】
次に、接触片ユニット７について説明する。図４は、接触片ユニット７の平面図である。図５及び図６は、接触片ユニット７の斜視図である。図７は、接触片ユニット７の分解斜視図である。図８は、接触片ユニット７を可動接点端子２１側から見た側面図である。図９は、接触片ユニット７を接触片２２側から見た側面図である。
図４から図９に示すように、可動接点端子２１は、細長い板状の形状を有する。可動接点端子２１は、先端部３１と基端部３２とを有する。図２に示すように、可動接点端子２１の先端部３１は、ベース２の外方に突出するように配置される。可動接点端子２１の基端部３２は、ベース２内に配置される。
【００３１】
なお、本実施形態において、基端部３２から先端部３１に向かう方向と平行な方向を長手方向と呼ぶ。長手方向は図４における上下方向である。長手方向、及び、可動接点端子２１の板厚方向に垂直な方向を幅方向と呼ぶ。可動接点端子２１の板厚方向は、図４における左右方向である。幅方向は、図４における紙面に垂直な方向であり、図８及び図９における左右方向である。
【００３２】
可動接点２３，２４は、第１可動接点２３と第２可動接点２４とを有する。第１可動接点２３と第２可動接点２４とは、接触片２２の長手方向に互いに離れて配置されている。詳細には、第１可動接点２３は、第２可動接点２４よりも接触片２２の先端側に位置している。第１可動接点２３の直径は、第２可動接点２４の直径よりも大きい。第１可動接点２３の接触片２２からの高さは、第２可動接点２４の接触片２２からの高さよりも大きい。なお、可動接点の数は、２つに限らず、２つより多くてもよい。
【００３３】
接触片２２は、可動接点端子２１の基端部３２に接続される。接触片２２は、可動接点端子２１の長手方向に細長い板状の形状を有する。接触片２２は、基端部３３と先端部３４とを有する。接触片２２の基端部３３は、可動接点端子２１に接合される。接触片２２の先端部３４は、基端部３３の反対に位置しており、自由端となっている。すなわち、接触片２２は、基端部３３において片持ち状に可動接点端子２１に支持されている。
【００３４】
図５に示すように、接触片２２は、第１分割片３５と第２分割片３６とを有する。第１分割片３５は、第２分割片３６に対してベース２側に位置している。接触片２２には、第１分割片３５と第２分割片３６との間においてスリット３７が設けられている。第１分割片３５と第２分割片３６とは、スリット３７によって互いに分割されている。スリット３７は、接触片２２の先端部３４から基端部３３に向かって長手方向に延びている。スリット３７は、基端部３３には達しておらず、第１分割片３５と第２分割片３６とは、スリット３７の基端側において、互いにつながっている。第１分割片３５には第１可動接点２３が取り付けられる。第２分割片３６には第２可動接点２４が取り付けられる。
【００３５】
第１分割片３５にはスリット３８が設けられている。スリット３８は、可動接点端子２１との接続部と、第１可動接点２３との間に設けられている。第１分割片３５の幅は、第２分割片３６の幅よりも大きい。言い換えれば、第２分割片３６の幅は、第１分割片３５の幅よりも小さい。第１分割片３５の先端は、第２分割片３６の先端よりも可動接点端子２１の先端側に位置している。
【００３６】
図９に示すように、第１分割片３５は、第１接触部４１２を有する。第１接触部４１２は、第１分割片３５の先端部に設けられる。第１接触部４１２は、第１分割片３５において固定接点端子２５側の面に設けられる。
詳細には、第１分割片３５は、第１本体部６１１と突出部６２１とを有する。第１本体部６１１は、長手方向に延びている。第１可動接点２３は、第１本体部６１１に取り付けられている。突出部６２１は、第１本体部６１１から幅方向に突出している。突出部６２１は、幅方向において第１分割片３５から第２分割片３６に向かう方向に突出している。第１接触部４１２は、突出部６２１に設けられている。
【００３７】
第１接触部４１２は、第１分割片３５において第１可動接点２３よりも先端側に位置している。第１接触部４１２は、第１分割片３５の先端の角に設けられている。第１接触部４１２は、第１可動接点２３に対して幅方向にずれて配置されている。
第１分割片３５は、第１スリット４６１を有する。第１スリット４６１は、第１可動接点２３の周囲に配置される。第１スリット４６１は、第１可動接点２３に沿って湾曲した形状を有する。第１スリット４６１は、第１可動接点２３に対して、突出部６２１の反対側に配置されている。
【００３８】
第２分割片３６は、第２本体部６３１とテーパ部６４１とを有する。第２本体部６３１は、長手方向に延びている。第２可動接点２４は、第２本体部６３１に取り付けられている。テーパ部６４１は、第２本体部６３１の先端側に位置している。テーパ部６４１は、先端側に向けて幅が小さくなる形状を有する。
第２分割片３６において、テーパ部６４１が設けられる部分には、凹部６５１が形成されている。凹部６５１は、第１分割片３５の突出部６２１に対向する位置に設けられている。凹部６５１は、突出部６２１を避けるように凹んだ形状を有する。凹部６５１は、第１可動接点２３と幅方向に対向する位置に配置されている。第２可動接点２４は、第２分割片３６において凹部６５１よりも基端側に位置している。
【００３９】
第２分割片３６は、第２接触部４１３を有する。第２接触部４１３は、第２分割片３６において固定接点端子２５側の面に設けられる。第２接触部４１３は、突出部６２１と幅方向に対向する位置に配置されている。第２接触部４１３は、第２分割片３６の先端に設けられる。言い換えると、第２接触部４１３は、テーパ部６４１の先端に設けられる。第１分割片３５は、長手方向において第２分割片３６よりも長い。従って、第１接触部４１２は、第２接触部４１３よりも先端側に位置している。
【００４０】
図８に示すように、第１分割片３５は、第３接触部４２２を有する。第３接触部４２２は、第１分割片３５の先端に設けられる。第３接触部４２２は、第１分割片３５において可動接点端子２１側の面に設けられる。第３接触部４２２の少なくとも一部は、幅方向において第１接触部４１２よりも第１可動接点２３の近くに位置する。第２分割片３６は、第４接触部４２３を有する。第４接触部４２３は、第２分割片３６２の先端に設けられる。第４接触部４２３は、第２分割片３６２において可動接点端子２１側の面に設けられる。第３接触部４２２は、第４接触部４２３よりも接触片２２の先端側に位置する
図５に示すように、接触片２２は、膨出部３９を有する。膨出部３９は、可動接点端子２１から離れる方向に向かって凸に湾曲した形状を有する。膨出部３９は、可動接点２３，２４から固定接点２６，２７に向かう方向に突出している。膨出部３９は、接触片２２の幅方向に亘って設けられている。膨出部３９は、接触片２２の長手方向において接触片２２の基端部３３と可動接点２３，２４との間に位置している。
【００４１】
図７に示すように、接触片ユニット７は、複数の板バネ４１−４３を有する。複数の板バネ４１−４３は、互いに積層して配置される。詳細には、接触片ユニット７は、第１板バネ４１と、第２板バネ４２と、第３板バネ４３とを有する。第１板バネ４１は、複数の板バネ４１−４３のなかで最も可動接点端子２１から離れて配置される。第２板バネ４２は、複数の板バネ４１−４３のなかで最も可動接点端子２１に近接して配置される。第３板バネ４３は、第１板バネ４１と第２板バネ４２との間に配置される。
【００４２】
なお、板バネの数は３つに限らず、３つより少なくてもよい。或いは、板バネの数は３つより多くてもよい。
第１板バネ４１は接続孔４１１を有する。第２板バネ４２は接続孔４２１を有する。第３板バネ４３は接続孔４３１を有する。可動接点端子２１は、接続突起２１１を有する。第１〜第３板バネ４１−４３の接続孔４１１，４２１，４３１に、接続突起２１１が挿入されることにより、第１〜第３板バネ４１−４３が一体的に可動接点端子２１に接続される。
【００４３】
第１板バネ４１は、第１分割片３５１と第２分割片３６１とを有する。第２板バネ４２は、第１分割片３５２と第２分割片３６２とを有する。第３板バネ４３は、第１分割片３５３と第２分割片３６３とを有する。複数の第１分割片３５１−３５３は互いに積層されており、上述した接触片２２の第１分割片３５を構成する。複数の第２分割片３６１−３６３は互いに積層されており、上述した接触片２２の第２分割片３６を構成する。
【００４４】
第１板バネ４１と第２板バネ４２と第３板バネ４３とは、それぞれ第１接点取付部４４１−４４３を有する。第１接点取付部４４１−４４３は、第１〜第３板バネ４１−４３のそれぞれに設けられた取付孔であり、互いに重なるように配置される。第１接点取付部４４１−４４３には第１可動接点２３が取り付けられる。
第１板バネ４１と第２板バネ４２と第３板バネ４３とは、それぞれ第２接点取付部４５１−４５３を有する。第２接点取付部４５１−４５３は、第１〜第３板バネ４１−４３のそれぞれに設けられた取付孔であり、互いに重なるように配置される。第２接点取付部４５１−４５３には第２可動接点２４が取り付けられる。
【００４５】
第１板バネ４１は、上述した第１スリット４６１を有する。第１スリット４６１は、第１接点取付部４４１の周囲に配置される。第１スリット４６１は、第１接点取付部４４１の一部に沿って湾曲した形状を有する。第２板バネ４２は、第２スリット４６２を有する。第２スリット４６２は、第１接点取付部４４２の周囲に配置される。第２スリット４６２は、第１接点取付部４４２の一部に沿って湾曲した形状を有する。第３板バネ４３は、第３スリット４６３を有する。第３スリット４６３は第１スリット４６１と同様の形状を有する。
【００４６】
第１板バネ４１と第２板バネ４２と第３板バネ４３とは、それぞれスリット３７１−３７３を有する。スリット３７１−３７３は、互いに重なるように配置され、上述したスリット３７を構成する。第１板バネ４１と第２板バネ４２と第３板バネ４３とは、それぞれスリット３８１−３８３を有する。スリット３８１−３８３は、互いに重なるように配置され、上述したスリット３８を構成する。
【００４７】
第１板バネ４１と第２板バネ４２と第３板バネ４３とは、それぞれ膨出部３９１−３９３を有する。膨出部３９１−３９３は、互いに重なるように配置され、上述した膨出部３９を構成する。
第１板バネ４１は、上述した突出部６２１を有する。第１板バネ４１は、上述したテーパ部６４１を有する。第１板バネ４１は、上述した第１接触部４１２と第２接触部４１３とを有する。
【００４８】
第２板バネ４２は、上述した第３接触部４２２と第４接触部４２３とを有する。第２板バネ４２は、第１板バネ４１のテーパ部６４１と同様の形状のテーパ部６４２を有する。第４接触部４２３は、第２板バネ４２のテーパ部６４２の先端に設けられる。
第２板バネ４２は、第１板バネ４１の突出部６２１と異なる形状の突出部６２２を有する。第２板バネ４２の突出部６２２は、長手方向に突出している。第２板バネ４２の突出部６２２は、接触片２２の表面に垂直な方向において第１板バネ４１と重なる。第３接触部４２２は、第２板バネ４２の突出部６２２の先端に設けられている。
【００４９】
なお、第２板バネ４２の先端部は、可動接点端子２１側に向けて屈曲されている。これにより、リレー１がセット状態であるときに、接点の接触圧を安定して得ることができる。
第３板バネ４３は、第１板バネ４１の突出部６２１と同様の形状の突出部６２３を有する。第３板バネ４３は、第１板バネ４１のテーパ部６４１と同様の形状のテーパ部６４３を有する。第３板バネ４３には、リブ部４３２が設けられている。リブ部４３２は、第３板バネ４３の第２分割片３６３の縁部に設けられており、接触片２２の長手方向に延びている。リブ部４３２は、可動接点端子２１に向かって屈曲した形状を有する。このリブ部４３２によって第２分割片３６の剛性を向上させることができる。
【００５０】
可動接点端子２１は、接続部５１と、本体部５２と、凹部５３と、終端部５４とを有する。接続部５１は、可動接点端子２１の基端部３２を含む。接続部５１には、上述した接続突起２１１が設けられており、接触片２２の基端部３３が接続される。
本体部５２は、接続部５１から接触片２２の長手方向に沿って延びている。図４から図６に示すように、本体部５２は、接触片２２の膨出部３９と対向している。本体部５２は、屈曲部５２１において屈曲した形状を有する。本体部５２において屈曲部５２１よりも基端側は、基端部３２に向かって接触片２２に近づくように傾斜している。
【００５１】
凹部５３は、接触片２２において第１可動接点２３よりも先端側の部分と重なる。凹部５３は、本体部５２と終端部５４との間に位置する。図２に示すように、リンク部材６は、凹部５３を通るように配置される。
終端部５４は、凹部５３の先端側に位置する。終端部５４は、可動接点端子２１の先端部３１を含む。終端部５４は、可動接点端子２１においてベース２の外方に突出する部分である。
【００５２】
固定接点２６，２７は、第１固定接点２６と第２固定接点２７とを有する。第１固定接点２６は、固定接点端子２５に取り付けられ、第１可動接点２３と対向して配置される。第２固定接点２７は、固定接点端子２５に取り付けられ、第２可動接点２４と対向して配置される。第１固定接点２６と第２固定接点２７とは、第１可動接点２３及び第２可動接点２４と同様に、接触片２２の長手方向に互いに離れて配置される。第１固定接点２６は、第２固定接点２７よりも接触片２２の先端側に配置される。
【００５３】
第１固定接点２６の直径は、第２固定接点２７の直径よりも大きい。第１固定接点２６の固定接点端子２５からの高さは、第２固定接点２７の固定接点端子２５からの高さよりも大きい。また、上述したように、第１可動接点２３の接触片２２からの高さは、第２可動接点２４の接触片２２からの高さよりも大きい。
従って、接点の接触時には、第２可動接点２４が第２固定接点２７と接触するよりも先に、第１可動接点２３が第１固定接点２６と接触する。また、接点の乖離時には、第２可動接点２４が第２固定接点２７から離れた後で、第１可動接点２３が第１固定接点２６から離れる。従って、接点の接触時、或いは、乖離時の電気的な負荷は、主として第１可動接点２３が受けることになる。すなわち、第１可動接点２３と第１固定接点２６とは開閉用接点として機能する。また、第２可動接点２４と第２固定接点２７とは通電用接点として機能する。
【００５４】
次に、リンク部材６について詳細に説明する。図１０は、リンク部材６と接触片２２とを示す斜視図である。図１１は、リンク部材６と接触片２２とを固定接点端子２５側から見た側面図である。図１２は、リンク部材６の斜視図である。図１３は、接触片２２の基端側から見たリンク部材６を示す図である。
なお、以下の説明において「長手方向」とは、接触片２２の長手方向であり、上述したように接触片２２の基端部３２から先端部３１に向かう方向と平行な方向を意味する。長手方向は、図１１における上下の方向である。「幅方向」は、接触片２２の幅方向であり、第１分割片３５と第２分割片３６とが並ぶ方向である。幅方向は、図１０における上下方向であり、図１１における左右の方向である。
【００５５】
図１０及び図１２に示すように、リンク部材６は、本体部７１と、連結部７２と、第１突起部７３と、第２突起部７４と、第３突起部７５とを有する。本体部７１は、接触片２２から固定接点端子２５に向かう方向に延びる板状の形状を有する。本体部７１には、上述した連結孔６０１が設けられている。本体部７１は、可動接点端子２１の凹部５３を通るように配置される。
【００５６】
なお、以下の説明では、接触片２２から固定接点端子２５に向かう方向を「接触方向」と呼ぶ。接触方向と反対の方向を「乖離方向」と呼ぶ。
連結部７２は、本体部７１から接触方向に突出している。連結部７２は、本体部７１から、接触方向に延びている。第１突起部７３は、連結部７２から幅方向に突出している。詳細には、第１突起部７３は、第２分割片３６から第１分割片３５に向かう方向に、連結部７２から突出している。
【００５７】
第２突起部７４と第３突起部７５とは、同じ方向に向かって平行に突出している。第１突起７３は、第２突起部７４の突出方向と垂直な方向に突出している。
第２突起部７４は、連結部７２から長手方向に突出している。詳細には、第２突起部７４は、連結部７２から接触片２２の基端側に向かって突出している。第３突起部７５は、連結部７２から長手方向に突出している。第３突起部７５は、連結部７２から接触片２２の基端側に向かって突出している。第３突起部７５は、第２突起部７４に対して乖離方向に位置する。
【００５８】
リンク部材６は、第１凹部７６と第２凹部７７とを有する。第１凹部７６は、連結部７２と、第１突起部７３と、接触方向における本体部７１の端部とによって形成されている。第１凹部７６は、接触片２２の幅方向に凹んだ形状を有する。第１凹部７６は、第１分割片３５から第２分割片３６に向かう方向に凹んでいる。図１０に示すように、第１凹部７６内には、第１分割片３５の先端が配置される。第１凹部７６内には、第１接触部４１２と第３接触部４２２とが配置される。
【００５９】
第２凹部７７は、連結部７２と第２突起部７４と第３突起部７５とによって形成されている。第２凹部７７は、接触片２２の長手方向に凹んだ形状を有する。第２凹部７７は、接触片２２の基端側から先端側へ向かう方向に凹んでいる。第２凹部７７内には、第２分割片３６の先端が配置される。第２凹部７７内には、第２接触部４１３と第４接触部４２３とが配置される。
【００６０】
図１１に示すように、リンク部材６は、長手方向において第１分割片３５の先端３４１と第２分割片３６の先端３４２との間に位置する。リンク部材６は、幅方向において第１分割片３５の突出部６２１と第２分割片３６の幅方向における縁部３４３との間に位置する。リンク部材６は、接触片２２の幅の範囲内に配置される。
図１２に示すように、リンク部材６は、第１押圧部８１と、第２押圧部８２と、第３押圧部８３と、第４押圧部８４とを有する。第１押圧部８１は、第１突起部７３に設けられている。第１押圧部８１は、第１凹部７６の一部を構成しており、接触片２２の幅方向に延びている。第１押圧部８１は、第１接触部４１２と対向して配置される。リンク部材６が乖離方向に移動することで、第１押圧部８１は、第１接触部４１２を乖離方向に押圧する。
【００６１】
第２押圧部８２は、第２突起部７４に設けられている。第２押圧部８２は、第２凹部７７の一部を構成しており、接触片２２の長手方向に延びている。詳細には、第２押圧部８２は、長手方向において接触片２２の基端側に向かって延びている。第２押圧部８２は、第２接触部４１３と対向して配置される。リンク部材６が乖離方向に移動することで、第２押圧部８２は、乖離方向に第２分割片３６を押圧する。
【００６２】
第３押圧部８３は、接触方向における本体部７１の端部に設けられている。第３押圧部８３は、第１凹部７６の一部を構成しており、接触片２２の幅方向に延びている。第３押圧部８３は、第３接触片２２と対向して配置される。リンク部材６が接触方向に移動することにより、第３押圧部８３は、接触方向に第３押圧部８３を押圧する。
第４押圧部８４は、第３突起部７５に設けられている。第４押圧部８４は、第２凹部７７の一部構成しており、接触片２２の長手方向に延びている。詳細には、第４押圧部８４は、長手方向において接触片２２の基端側に向かって延びている。第４押圧部８４は、第４接触部４２３に対向して配置されている。リンク部材６が接触方向に移動することにより、第４押圧部８４は、接触方向に第４押圧部８４を押圧する。
【００６３】
図１３に示すように、第１押圧部８１の幅方向における長さＬ１と、第３押圧部８３の幅方向における長さＬ３とは、互いに異なる。従って、第１押圧部８１と第３押圧部８３とでは、第１分割片３５において幅方向に互いに異なる位置を押圧する。詳細には、第１押圧部８１は、幅方向において第３押圧部８３よりも短い。第２押圧部８２の長手方向における長さと、第４押圧部８４の長手方向における長さとは同じである。
【００６４】
図１３に示すように、第１押圧部８１は、接触片２２の幅方向に第２押圧部８２と並んで配置されている。従って、リンク部材６が乖離方向に移動するときには、第１押圧部８１が第１接触部４１２に接触するのとほぼ同時に、第２押圧部８２が第２接触部４１３に接触する。
第３押圧部８３は、接触片２２の幅方向に第４押圧部８４と並んで配置されている。従って、リンク部材６が接触方向に移動するときには、第３押圧部８３が第３接触部４２２に接触するのとほぼ同時に、第４押圧部８４が第４接触部４２３に接触する。
【００６５】
図１４及び図１５は、リレー１がセット状態からリセット状態に切り換えられるときの接触片２２とリンク部材６とを示す図である。リレー１がセット状態からリセット状態に切り換えられるときには、リンク部材６が乖離方向（図１４及び図１５における右方）に移動する。これにより、図１４に示すように、第１押圧部８１が、第１接触部４１２と接触し、第１接触部４１２を乖離方向へ押圧する。また、図１５に示すように、第２押圧部８２が第２接触部４１３と接触し、第２接触部４１３を乖離方向へ押圧する。これにより、可動接点２３，２４が、固定接点２６，２７から離れる方向に移動し、可動接点２３，２４が、固定接点２６，２７から引き離される。これにより、リレー１がセット状態からリセット状態に切り換えられる。
【００６６】
図１６及び図１７は、リレー１がリセット状態からセット状態に切り換えられるときの接触片２２とリンク部材６とを示す図である。リレー１がリセット状態からセット状態に切り換えられるときには、リンク部材６が接触方向（図１６及び図１７における左方）に移動する。これにより、図１６に示すように、第３押圧部８３が、第３接触部４２２と接触し、第３接触部４２２を接触方向へ押圧する。また、図１７に示すように、第４押圧部８４が第４接触部４２３と接触し、第４接触部４２３を接触方向へ押圧する。これにより、可動接点２３，２４が固定接点２６，２７に向かって移動し、可動接点２３，２４が固定接点２６，２７に接触する。これにより、リレー１がリセット状態からセット状態に切り換えられる。
【００６７】
以上説明した本実施形態に係るリレーでは、第１押圧部８１と第２押圧部８２とが互いに異なる方向に延びている。そのため、第１押圧部８１と第２押圧部８２との寸法をそれぞれ任意に設定することで、第１接触部４１２と第２接触部４１３の位置、或るいは大きさを容易に調整することができる。また、第１押圧部８１と第２押圧部８２との位置を任意に設定することで、第１可動接点２３と第２可動接点２４のそれぞれに対して、乖離力の大きさ、或いは、乖離のタイミングを容易に調整することができる。これにより、接点パラメータを容易に設定することができる。
【００６８】
例えば、図１８において位置８１ａに示すように、第１押圧部８１を接触方向に移動させることで、接触片２２と第１押圧部８１との間の距離を大きくすることができる。これにより、第１押圧部８１が接触片２２に接触する瞬間の第１押圧部８１の移動速度を大きくすることで、第１可動接点２３に対する乖離力を増大させることができる。同様に、位置８２ａに示すように、第２押圧部８２を接触方向に移動させることで、第２可動接点２４に対する乖離力を増大させることができる。逆に、位置８１ｂに示すように、第１押圧部８１を乖離方向に移動させることで、第１可動接点２３に対する乖離力を小さくすることができる。また、位置８２ｂに示すように、第２押圧部８２を乖離方向に移動させることで、第２可動接点２４に対する乖離力を小さくすることができる。
【００６９】
また、第３押圧部８３と第４押圧部８４とが互いに異なる方向に延びている。そのため、第１押圧部８１と第２押圧部８２との寸法をそれぞれ任意に設定することで、第３接触部４２２と第４接触部４２３の位置、或るいは大きさを容易に調整することができる。また、第１押圧部８１と第２押圧部８２との位置をそれぞれ任意に設定することで、第１可動接点２３と第２可動接点２４のそれぞれに対して、接触力の大きさ、或いは、接触のタイミングを容易に調整することができる。これにより、接点パラメータを容易に設定することができる。
【００７０】
例えば、図１９において位置８３ａに示すように、第３押圧部８３を接触方向に移動させることで、第３押圧部８３による接触片２２への押し込み量を大きくすることができる。これにより、第１可動接点２３に対する接触力を増大させることができる。同様に、位置８４ａに示すように、第４押圧部８４を接触方向に移動させることで、第２可動接点２４に対する接触力を大きくすることができる。逆に、位置８３ｂに示すように、第３押圧部８３を乖離方向に移動させることで、第１可動接点２３に対する接触力を小さくすることができる。また、位置８４ｂに示すように、第４押圧部８４を乖離方向に移動させることで、第２可動接点２４に対する接触力を小さくすることができる。
【００７１】
第１押圧部８１と第２押圧部８２と第４押圧部８４とは、それぞれ第１突起部７３と第２突起部７４と第３突起部７５とに設けられている。従って、第１突起部７３と第２突起部７４と第３突起部７５との長さを変更することで、第１押圧部８１と第２押圧部８２と第４押圧部８４との長さを調整することができる。すなわち、第１突起部７３と第２突起部７４と第３突起部７５との長さを変更することで、第１接触部４１２と第２接触部４１３と第４接触部４２３との位置及び大きさを調整することができる。これにより、接点パラメータを容易に調整することができる。
【００７２】
第１押圧部８１は、第３押圧部８３よりも短い。そのため、第１接触部４１２と第１可動接点２３との間の距離を大きくすることができる。これにより、乖離力を増大させることができる。また、第３接触部４２２を第１可動接点２３の近くに配置することができる。これにより、第１可動接点２３と第１固定接点２６との接触安定性を向上させることができる。
【００７３】
接触片２２は、第１凹部７６と第２凹部７７とに配置される。このため、接触片ユニット７がベース２に取り付けられた状態で、ベース２の開口側からリンク部材６を着脱することができる。これにより、リンク部材６に接触片２２を通すための孔を設ける場合と比べて、リンク部材６のリレー１への着脱が容易となり、リレー１の組立性を向上させることができる。
【００７４】
リンク部材６は、接触片２２の幅の範囲内に配置されている。また、リンク部材６は、長手方向において第１分割片３５の先端３４１と第２分割片３６の先端３４２との間に位置する。これにより、リレー１を小型化することができる。
以上、本発明の一実施形態について説明したが、本発明は上記実施形態に限定されるものではなく、発明の要旨を逸脱しない範囲で種々の変更が可能である。
【００７５】
接触片ユニット７の構成が、上記の実施形態から変更されてもよい。例えば、接触片２２の形状が変更されてもよい。第１〜第４接触部４１２，４１３，４２２，４２３の形状、或いは位置が変更されてもよい。第１分割片３５と第２分割片３６とが同じ幅であってもよい。或いは、第２分割片３６の幅が第１分割片３５の幅よりも大きくてもよい。
可動接点２３，２４の形状、或いは位置が変更されてもよい。例えば、第１可動接点２３と第２可動接点２４とが幅方向に並んで配置されてもよい。或いは、第２可動接点２４が第１可動接点２３よりも先端側に位置してもよい。第２可動接点２４が開閉用可動接点であり、第１可動接点２３が通電用可動接点であってもよい。すなわち、第２分割片３６に開閉用可動接点が取り付けられ、第１分割片３５に通電用可動接点が取り付けられてもよい。
【００７６】
固定接点ユニット８の構成が、上記の実施形態から変更されてもよい。例えば、上述した接触片ユニット７の変更に応じて、固定接点２６，２７の形状、或いは位置が変更されてもよい。
リンク部材６の形状が変更されてもよい。例えば、図２０は第１変形例に係るリンク部材６を示す図である。図２０に示すように、第１押圧部８１の長さが第３押圧部８３の長さと同じであってもよい。図２１は第２変形例に係るリンク部材６を示す図である。図２１に示すように、第２押圧部８２の長さが第４押圧部８４の長さと異なってもよい。
【００７７】
第１押圧部８１は、第２押圧部８２よりも接触方向に位置してもよい。或いは、第１押圧部８１は、第２押圧部８２よりも乖離方向に位置してもよい。第３押圧部８３は、第４押圧部８４よりも接触方向に位置してもよい。或いは、第３押圧部８３は、第４押圧部８４よりも乖離方向に位置してもよい。
【産業上の利用可能性】
【００７８】
本発明によれば、複数の可動接点に対して、接点ごとに接点パラメータを容易に設定することができる。
【符号の説明】
【００７９】
２１        可動接点端子
２２        接触片
３５        第１分割片
３６        第２分割片
２３        第１可動接点
２４        第２可動接点
２５        固定接点端子
２６        第１固定接点
２７        第２固定接点
６          リンク部材
８１        第１押圧部
８２        第２押圧部
８３        第３押圧部
８４        第４押圧部
４１２      第１接触部
４１３      第２接触部
４２２      第３接触部
４２３      第４接触部
７２        連結部
７３        第１突起部
７４        第２突起部
７５        第３突起部
７６        第１凹部
７７        第２凹部
【図１】
0006414019.tif 000002
【図２】
0006414019.tif 000003
【図３】
0006414019.tif 000004
【図４】
0006414019.tif 000005
【図５】
0006414019.tif 000006
【図６】
0006414019.tif 000007
【図７】
0006414019.tif 000008
【図８】
0006414019.tif 000009
【図９】
0006414019.tif 000010
【図１０】
0006414019.tif 000011
【図１１】
0006414019.tif 000012
【図１２】
0006414019.tif 000013
【図１３】
0006414019.tif 000014
【図１４】
0006414019.tif 000015
【図１５】
0006414019.tif 000016
【図１６】
0006414019.tif 000017
【図１７】
0006414019.tif 000018
【図１８】
0006414019.tif 000019
【図１９】
0006414019.tif 000020
【図２０】
0006414019.tif 000021
【図２１】
0006414019.tif 000022